(57)【要約】【課題】生体に無害な食品添加物のみを用いた吹奏楽器用クリーナーを開発することを課題とする。【解決手段】蔗糖脂肪酸エステルを主成分とし、プロピレングリコール、デヒドロ酢酸ナトリウム、柿抽出液、シリコン樹脂、高度さらし粉、クエン酸等からなるクリーナーが有効であることを見出した。【選択図】なし【特許請求の範囲】
【請求項１】
蔗糖脂肪酸エステルを主成分とする吹奏楽器用クリーナー。
【請求項２】
蔗糖脂肪酸エステル及び柿抽出液を主成分とする吹奏楽器用クリーナー。
【請求項３】
吹奏楽器がハーモニカであることを特徴とする請求項１又は２記載の吹奏楽器用クリーナー。
【発明の詳細な説明】
【技術分野】
【０００１】
吹奏楽器用クリーナーにおいて、生体に無害な食品添加物のみを用いたクリーナーに関する。
【背景技術】
【０００２】
楽器の掃除は演奏者にとって、気を使うがしかし大事な仕事の一つである。
従来の楽器の掃除に関する特許公報を調査したところ、例えば布を使用するなど物理的な掃除方法が主であった。また楽器そのものを汚れにくくするために、楽器に特殊な塗装を施す等の工夫を行ってきている。例えば、特開昭４９−３１５８８号公報(特許文献１)には、水に可溶化したロウ類を含有する表面処理剤を開発し、レザークリーナー、ガラスクリーナー、家具クリーナー、カークリーナーの他、楽器の洗浄つやだしにも利用できると記載されている。
しかしながら、口に咥える吹奏楽器にとって、ロウ類が口に入る危険性があり、人体への影響が危惧されるところである。
【特許文献１】特開昭４９−３１５８８号公報
【発明の開示】
【発明が解決しようとする課題】
【０００３】
生体に無害な食品添加物のみを用いた吹奏楽器用クリーナーを開発することを課題とする。
【課題を解決するための手段】
【０００４】
本発明者等は、前期課題を解決するために鋭意研究した結果、蔗糖脂肪酸エステルを主成分とするクリーナーで解決できることを見出した。  
すなわち、本発明は
(１)蔗糖脂肪酸エステルを主成分とする吹奏楽器用クリーナー、
(２)蔗糖脂肪酸エステル及び柿抽出液を主成分とする吹奏楽器用クリーナー、
(３)吹奏楽器がハーモニカであることを特徴とする(１)又は(２)記載の吹奏楽器用クリーナー
に関する。  
【０００５】
本発明のクリーナーの成分は、
蔗糖脂肪酸エステル              ０．１      〜    ５．０％
プロピレングリコール            ０．１      〜    ２．０％
デヒドロ酢酸ナトリウム          ０．１      〜    ０．５％
柿抽出液                        ０．０１    〜    ０．５％
シリコン樹脂                    ０．００１  〜    ０．５％
高度さらし粉                    ０．００１  〜    ０．２％
クエン酸                        ０．０１    〜    ０．５％
精製水                                  全量を調整        
１００％          １００％
であり、蔗糖脂肪酸エステルを主成分とするものである。
【０００６】
本発明において吹奏楽器とは、ハーモニカ、鍵盤ハーモニカ、リコーダー、フルート、サックス、クラリネット、トランペット、トロンボーン、ピッコロ、オカリナ等を対象としている。
【０００７】
本発明に用いられている各成分について詳説すると、蔗糖脂肪酸エステルはコーヒークリーム、アイスクリーム等の乳化剤として用いられており、またインスタント食品や醤油の分散剤、羊羹、チューインガム等の粘度調整剤、起泡剤、老化防止剤等食品分野では多用途を有する食品添加剤である。
【０００８】
プロピレングリコールは、食品の安定性や品質を一定とするために用いられる品質保持剤であり、デヒドロ酢酸ナトリウムは、食品の保存料の一種である。
【０００９】
柿抽出液は、植物フラボノイドを有している柿から抽出し加工した液体であり、特に加水分解に影響されないタンニンを多く含む柿渋から抽出したものである。この植物フラボノイド、すなわちタンニンには、悪臭を包み込んで持続効果のある消臭剤である。  
【００１０】
シリコン樹脂は、耐熱性、耐酸性が大きく、油性や水性の泡に対して強い消泡作用をもち、食品製造用の消泡剤として使用されている。
【００１１】
高度さらし粉は、普通のさらし粉に比べ、有効塩素量が高く、水に溶かしたとき不溶性残渣が少なく、長期の保存に耐えることなどから、さらし粉に代わって使用されることが多い。食品添加物に指定されている。
【００１２】
クエン酸は、有機酸の一種であるが、果実や野菜に存在し、爽快な酸味を呈する成分で、未熟のだいだい、レモン類には多く存在している。
【００１３】
以上のように、本発明品はそれぞれの成分が食品に使用されており、従って体内に入ったとしてもなんら害を及ぼすものではないので、口に咥える管楽器のクリーナーとして好適である。
【００１４】
なお、蔗糖脂肪酸エステル以外の成分については、同様の効果を有する食品添加物であれば代替使用することは可能である。
【００１５】
本発明のクリーナーは、塗布しても良いし、噴霧しても良い。従って、クリーム状、エアゾル状であっても良い。また、液状であっても良い。
【発明の効果】
【００１６】
本発明品を吹奏楽器、特にハーモニカの汚れ落としに使用すると、本発明品が食品添加物主体であるため、体に害を及ぼすことなく汚れを除去することができる。
【発明を実施するための最良の形態】
【００１７】
本発明をより具体的に説明するため、以下に実施例を示す。
【実施例１】
【００１８】
本発明品の除菌効果につき、以下の要領で試験を行った。
保管温度：恒温槽設定  ３５℃±２℃
試験試料：本発明品、精製水
検査器具：大腸菌群用試験紙  (共立理科学研究所製)
ブドウ球菌用試験紙（サン化学製）
試験方法：大腸菌群用試験紙及びブドウ球菌用試験紙をシャーレに採る。
次いで、本発明品を全体に濡れる程度(１ｍｌ)に添加し、細菌が培養に適し
た温度３５℃前後で２０時間放置する。後に試験紙にある斑点の発色数を目
視にて計測し、除菌効果の有無を確認する。
判定方法：試験紙は、予め大腸菌群及びブドウ球菌を付着させた状態でフリーズドライ
化したもので、上記細菌に適した水分及び温度の持続(１２〜２０時間)で活
性化し繁殖する。
なお、試験紙の細菌が繁殖するにつれ、斑点が発生する。(陽性+)
また、除菌剤等により細菌が抑制された場合、試験紙に変化はない。
(陰性−)
細菌試験方法の指示通り細菌が活性に適した温度(３５℃±２℃)に設定し、            ２０時間保管する。
塩素が添加される水道水は、使用せず純水またはイオン交換水を使用し、細
菌が活性しやすい状態とする。
細菌検出試験は、各２回行い斑点の数を計測する。
試験結果後、試験紙を写真にとり記録する。なお、試験紙は焼却処分とす
る。
【００１９】
試験結果：
【表１】
2008024847.tif 000002
結果：  本発明のクリーナーで除菌効果が認められた。
【実施例２】
【００２０】
本発明品と他社製品とについて、油汚れ洗浄における効能・効果を比較・検討した。
測定環境  室温、湿度：  室温  平均２３℃      湿度    平均６０％
比較検体：    本発明品                    １００ｍｌ    
Ｙ社楽器クリーナー          １００ｍｌ
水道水
試験試料：    台所用換気扇ネット(１年間使用品)を縦１．５ｃｍ×横４．０
ｃｍの長方形にカットしたもの
試験方法  油汚れ試験：  １００ｍｌビーカーに比較検体を１０ｇ取り試料をドブ漬け５
分間放置し、後に流水にて１分間洗浄し油汚れの除去を目視に
て確認。
判定基準：判定基準は以下の通り
５=  油汚れを除去しネットが白色に近くなる。
４=  ５に比べ汚れが残っているが除去できる。
３=  油汚れ落ちは認められるが汚れが残っている。
２=  １に比べ多少の汚れが除去できる程度。
１=  油汚れ落しの効果が認められない。
【００２１】
試験結果
【表２】
2008024847.tif 000003
【００２２】
表２から明らかなように、水道水でも、Ｙ社クリーナーでも油汚れが残っているのに対して、本発明品は油汚れが除去できており、本発明品が他のクリーナーよりも汚れ除去により効果的であることが証明された。
【００２３】
なお、この実施例で用いた本発明品の構成成分は
蔗糖脂肪酸エステル              ０．５％
プロピレングリコール            ０．５％
デヒドロ酢酸ナトリウム          ０．１％
柿抽出液                        ０．１％
シリコン樹脂                    ０．００５％
高度さらし粉                    ０．０１％
クエン酸                        ０．０１％
精製水                        ９８．７７５％        
１００％    
であった。
【実施例３】
【００２４】
実施例１及び実施例２で本発明品の汚れ落とし効果が確認できたので、実際にハーモニカに使用してみた。
ハーモニカを２時間吹いた後、本発明品のクリーナーでハーモニカの表面を拭いたところ、手垢等の汚れが綺麗に落とされた。
なお、他の吹奏楽器においても、同様に汚れ落とし効果を発揮した。